(57)【特許請求の範囲】
【請求項１】
地盤（Ｓ）内に要素（Ｃ，Ｐ１，Ｐ２，Ｐ３）を形成する方法であって、
掘削混合ツール（２０）を用意するステップと、
前記掘削混合ツールを下降させる下降段階と、これに続く前記掘削混合ツールを持ち上げる持ち上げ段階とを有し、前記下降段階において地盤（Ｓ）内に掘削孔（Ｅ／Ｔ）を掘削する掘削ステップと、
前記下降段階において第一混合物（Ａ）を注入するステップと、
前記持ち上げ段階において第二混合物（Ｂ）を注入するステップと、
前記掘削孔中の現場の地盤と、少なくとも一種のアルカリ基材を含む混合物とを原位置で混合して、原位置でジオポリマー（Ｇ）を形成する混合ステップと、を有しており、
前記混合ステップは、
前記下降段階で現場の地盤と前記第一混合物（Ａ）とを原位置で混合する第一段階と、
これに続く、既に前記第一混合物（Ａ）と混合された現場の地盤と前記第二混合物（Ｂ）とを原位置で混合する第二段階とを有し、
前記第二段階を前記持ち上げ段階で実行し、
前記ジオポリマー（Ｇ）は前記第一混合物（Ａ）と前記第二混合物（Ｂ）との反応によって原位置で形成され、前記第一混合物または前記第二混合物が前記アルカリ基材を含む方法。
【請求項２】
前記第一混合物（Ａ）がシリコアルミニウム鉱物を含む一方、前記第二混合物が前記アルカリ基材を含み、
前記第一混合物（Ｂ）が前記アルカリ基材を含む場合、前記第二混合物がシリコアルミニウム鉱物を含む、請求項１に記載の方法。
【請求項３】
前記アルカリ基材がケイ酸アルカリ溶液を含む、請求項２に記載の方法。
【請求項４】
請求項１〜３のいずれか１項に記載の方法を実行することで得られる、地盤（Ｓ）内の要素（Ｃ，Ｐ１，Ｐ２，Ｐ３）であって、前記アルカリ基材を含む少なくとも一種の混合物と原位置で混合された現場の地盤からなる要素。
【請求項５】
前記要素が、前記アルカリ基材を含む第一混合物およびシリコアルミニウムを含む第二混合物と原位置で混合された、現場の地盤からなる、請求項４に記載の要素。
【発明の詳細な説明】
【技術分野】
【０００１】
本発明は、現場の地盤を付加的な材料と混合して原位置要素（ｉｎ  ｓｉｔｕ  ｅｌｅｍｅｎｔｓ）を形成する技術分野に関する。このような技術は一般的に深層土壌混合処理と言われる。本発明は、特に、深層土壌混合処理技術によって地盤内に要素を形成する方法に関する。
【背景技術】
【０００２】
この方法では、付加的な材料は、一般的にポルトランドセメントを含む水硬性結合材であることが多い。地盤との混合の際に、材料は特定の機械的性質を得る。
しかし、前記技術にはいくつかの欠点がある。まず、作成された材料の耐久性が低く、空気や屋外の環境、または地盤における特定の汚染物質に長く晒されると劣化しやすい。例えば、硫酸塩で汚染された地盤を要素の形成に用いる場合、膨張現象が見られる。
【０００３】
また、ポルトランドセメントを含むタイプの水硬性結合材は、カーボンフットプリントの点で問題がある。
【発明の概要】
【発明が解決しようとする課題】
【０００４】
本発明の目的は、深層土壌混合処理技術を用いて、従来と比較して高い耐久性と優れたカーボンフットプリントを有する要素を地盤内に形成することを可能にする方法を提案することで、上記欠点を解消することである。
【課題を解決するための手段】
【０００５】
これを実現するために、本発明は、地盤内に要素を形成する方法であって、
地盤内に掘削孔を掘削するステップと、
掘削孔内の現場の地盤と、ジオポリマーとを原位置で混合するステップと、を有する方法を提供する。
【０００６】
掘削孔の形状は、使用される掘削ツールによって決まる。掘削孔は溝または細長いボーリング孔であってよく、その形状は作成される要素の形状による。
【０００７】
よって、堀削ステップ中に掘削孔の地盤を解体してジオポリマーと混合し、前記要素を構成する材料を形成する。前記要素は前記材料を硬化させることで得られる。
【０００８】
ジオポリマーセメントともいわれるジオポリマーは、一般的に、シリコアルミニウム鉱物をアルカリ性試薬と混合することで得られる。
【０００９】
ジオポリマーセメントは、ポルトランドセメントと比較してカーボンフットプリントが格段に低いことで知られる。さらに、ジオポリマーセメントの腐食性は高くない。この点について、ＷＯ２０１１／０２０９７５は、非腐食性のジオポリマーセメントの一例を開示している。
【００１０】
現場の地盤をジオポリマーと混合した材料を硬化して得られた要素は、地盤からの薬品侵食に対するより良い耐性を有し、これによってより高い耐久性を持つ。
【００１１】
本発明の方法は、より良い耐久性を有する、ダイヤフラム、スクリーン、または円柱を地盤内に形成することを可能にする。これは、土留め工の場合では長期間に渡っての存在が期待されることから、特に大きな利点となる。
【００１２】
よって、本発明の方法は、特に以下の用途に用いられる。
【００１３】
地下水面の存在または不存在下において、地盤に一体的に内包される（長方形、円形、正方形などの）部分として要素を形成すること。
地盤に一体化された直線的な形状、連続的なスクリーン、または互いに隣り合う一体的な要素の連続として、要素を形成すること。
低透過性のスクリーンを形成すること。
一時的または恒久的な土留めスクリーンを形成すること。
【００１４】
変形例において、前記方法は、ジオポリマーの硬化前に、補強ケージなどの補強部材を掘削孔に挿入するステップを有する。
【００１５】
第一実施形態において、本発明の方法は、ジオポリマーを含む混合物を掘削孔に注入して、混合ステップ中に該混合物を地盤と原位置で混合するステップを有する。このように、この第一実施形態では、ジオポリマーを含む混合物を掘削孔に注入して掘削された地盤と原位置で混合する。
【００１６】
好ましくは、前記ジオポリマーは、地盤への注入前に、掘削混合ツールの近傍で、例えばスラリーまたはモルタルとして、表面上に設けられる。
【００１７】
第二実施形態において、アルカリ基材を掘削孔に注入して、該アルカリ基材と現場の地盤との反応によって掘削孔中に原位置でジオポリマーを形成する。
【００１８】
アルカリ基材は次に、地盤内に自然に存在するシリコアルミニウム鉱物と反応する。よって、現地の地盤との混合の際に、ジオポリマーは掘削孔内において原位置で合成される。
【００１９】
第三実施形態において、掘削混合ツールを用意し、前記方法は、掘削混合ツールを下降させる段階と、これに続く掘削混合ツールを持ち上げる段階とを有し、前記方法は、下降段階において第一混合物を注入するステップと、持ち上げ段階において第二混合物を注入するステップとを有し、前記掘削ステップを下降段階で実行し、前記混合ステップは、下降段階で現場の地盤と第一混合物とを原位置で混合する第一段階と、これに続く、既に第一混合物と混合された現場の地盤と第二混合物とを原位置で混合する第二段階とを有し、第二段階を持ち上げ段階で実行し、ジオポリマーは第一混合物と第二混合物との反応によって原位置で形成される。よって、掘削混合ツールの持ち上げ段階でジオポリマーが形成され、掘削された地盤と混合されて、要素を構成する素材を形成する。
【００２０】
この第三実施形態にはいくつかの利点がある。まず、ジオポリマーの硬化を制御することが可能となる。本方法により、ジオポリマーと掘削された地盤とを混合した素材の硬化を、下降段階の後、好ましくは持ち上げ段階の後に遅らせることができる。これにより、下降段階でジオポリマーが硬化して、特に大深度の掘削の際にツールが持ち上げにくくなるリスクを避けることができる。
【００２１】
さらに、要素の作成を二つの異なるタイミングで行うこと、例えば下降段階と、その数時間から数日後の持ち上げ段階とで行うことができる。
【００２２】
好適には、第一混合物がシリコアルミニウム鉱物を含む一方、第二混合物がアルカリ基材（ａｌｋａｌｉｎｅ  ｂａｓｅ）を含み、あるいは、変形例として、第一混合物がアルカリ基材を含む一方、第二混合物がシリコアルミニウム鉱物を含む。
【００２３】
第一混合段階で注入される第一混合物は、好ましくは、アルミナシリカ粉末を含む液体であり、第二段階で注入される第二混合物は液体のケイ酸アルカリである。
変形例として、ともに液体の第一及び第二混合物を高圧で、例えば５メガパスカル（ＭＰａ）を超える圧力で注入する。
【００２４】
第一および／または第二混合物を粉の形状で地盤に注入してもよい。この場合、必要に応じて水を注入する。
【００２５】
この第三実施形態の実施について、ＷＯ２００７／１１６１７８やＥＰ１８７８８３３に記載の掘削混合ツールや、その他の掘削混合ツールを用いることができる。
【００２６】
第四実施形態において、掘削ステップの前に、地盤内に予備溝を形成し、予備溝を第一混合物で満たし、次に掘削ステップ中に掘削孔に第二混合物を注入するステップを実行し、
掘削ステップは、第一混合物を入れた溝と対応する掘削孔を掘削して、第一混合物を掘削孔に入れることからなり、
混合ステップは、現場の地盤を第一及び第二混合物と混合することからなり、
ジオポリマーを原位置で第一混合物と第二混合物との反応により形成する。
よって、堀削ステップ中に予備溝内の第一混合物が掘削孔に入って、そこで混合ステップ中に現地の地盤および第一及び第二混合物と混合され、これにより、要素を構成する材料、すなわち現地の地盤と第一及び第二混合物の反応によって得られたジオポリマーとを混合した材料を形成する。
【００２７】
好適には、第一混合物がシリコアルミニウム鉱物を含む一方、第二混合物がアルカリ基材を含み、あるいは、変形例として、第一混合物がアルカリ基材を含む一方、第二混合物がシリコアルミニウム鉱物を含む。
【００２８】
好ましくは、予備溝に広がった第一混合物がシリコアルミニウム鉱物である一方、第二混合物がケイ酸アルカリ溶液である。
【００２９】
第四実施形態の実施には、連続掘削混合ツールや、掘削機、垂直ブレードを有するものを用いることができる。第二混合物は、好適には、ブレードに沿って設けられたノズルを通じて掘削孔に注入される。
【００３０】
最後に、本発明は、前記請求項のいずれかに記載の方法を実行することで得られる、地盤内の要素であって、ジオポリマーを含む混合物と混合された現場の地盤からなる要素を提供する。
【００３１】
限定的ではないが好ましくは、前記要素は土留め要素である。
【００３２】
本発明は、非限定的な例示および添付の図面とともに提示される本発明の実施形態の記載によって、よりよく理解されるであろう。
【図面の簡単な説明】
【００３３】
【図１Ａ】図１Ａ〜図１Ｄは、本発明の第一実施形態を示す。
【図１Ｂ】図１Ａ〜図１Ｄは、本発明の第一実施形態を示す。
【図１Ｃ】図１Ａ〜図１Ｄは、本発明の第一実施形態を示す。
【図１Ｄ】図１Ａ〜図１Ｄは、本発明の第一実施形態を示す。
【図２Ａ】図２Ａ〜図２Ｃは、本発明の第二実施形態を示す。
【図２Ｂ】図２Ａ〜図２Ｃは、本発明の第二実施形態を示す。
【図２Ｃ】図２Ａ〜図２Ｃは、本発明の第二実施形態を示す。
【図３Ａ】図３Ａ〜図３Ｃは、本発明の第三実施形態を示す。
【図３Ｂ】図３Ａ〜図３Ｃは、本発明の第三実施形態を示す。
【図３Ｃ】図３Ａ〜図３Ｃは、本発明の第三実施形態を示す。
【図４Ａ】図４Ａ〜図４Ｃは、本発明の第四実施形態を示す。
【図４Ｂ】図４Ａ〜図４Ｃは、本発明の第四実施形態を示す。
【図４Ｃ】図４Ａ〜図４Ｃは、本発明の第四実施形態を示す。
【発明を実施するための形態】
【００３４】
図１Ａ〜４Ｃを参照し、非限定的な例を用いて、本発明の方法の四つの実施形態を続けて説明する。
【００３５】
第一実施形態を図１Ａ〜１Ｄを参照して説明する。
【００３６】
本例では、第一実施形態は、ＥＰ１８７８８３３に記載の掘削混合ツールを用いる。ＷＯ２００７／１１６１７８に記載のツールや、一段または二段の垂直オーガーなどの、他の掘削混合ツールを第一実施形態で用いることも当然可能である。
【００３７】
本例では、円柱Ｃの形状を有する要素を地盤Ｓ内に形成する。これを実行するために、最初のステップとして、垂直軸Ｘを軸に回転する掘削混合ツール１０を地盤Ｓに導入することで、地盤Ｓ中に掘削孔Ｅを掘削する。図１Ａ〜１Ｄから分かるように、掘削混合ツール１０は、地盤Ｓに事前に挿入された管状部１２を通過する。この管状部１２を事前に挿入するステップは行なわなくてもよい。
【００３８】
本例の掘削作業は、掘削流体Ｆを挿入する際にツール１０を回転させて行なわれる。
【００３９】
図１Ｃから分かるように、掘削混合ツール１０が管状部１２を通過した後、二つのフィン１４を径方向に展開して、掘削径を増加させる。
【００４０】
掘削混合ツール１０が所望の掘削深度に達すると、ツールを持ち上げる。掘削混合ツール１０が垂直回転軸Ｘを中心とした回転を継続し、ジオポリマーを含む混合物Ｇを掘削孔に注入することで、持ち上げ段階において、ジオポリマーを含む混合物Ｇを掘削される地盤と原位置で混合する、混合ステップを持ち上げ段階において実行する。
【００４１】
本例では、混合物Ｇは、シリコアルミニウム鉱物（灰、スラグ、メタカオリン等）に対するケイ酸アルカリの作用によって得られるアモルファスシリカゲルである。掘削された地盤をジオポリマーＧと混合して得た円柱Ｃは、空隙率が低く、薬品侵食に対する良好な耐性を有する。
【００４２】
さらに、セメントの水酸化プロセスよりかなり速くゲルが形成されることも分かった。最後に、ゲルを沈殿によって形成し掘削された地盤と混合すると、時間の関数としてその強度が変化することはなくなる。
【００４３】
このように、表面上に設けたゲルＧを、掘削混合ツール１０の持ち上げ段階で堀削孔に注入し、掘削される地盤と原位置で混合する。
【００４４】
硬化の後、ベントナイトとセメントとの混合物からなる水硬性結合材を用いて形成した円柱よりも高い耐久性を有する円柱が得られる。
【００４５】
図２Ａ〜２Ｃを参照して、本発明の方法の第二実施形態を以下で説明する。本例では、水平軸を中心に回転する二つの掘削混合ドラムを有する掘削混合ツール２０を用いる。このツールの詳細についてはＷＯ２００７／１１６１７８を参照してもよい。
【００４６】
本実施形態において、図２Ａが示すように、前記ツール２０を下降させることで地盤Ｓに溝Ｔを掘削するステップを実行する。ツールが所望の掘削深度に達すると、ツールを持ち上げる。この持ち上げ段階において、掘削混合ドラムを回転させつつアルカリ基材Ｂを溝に注入することで、アルカリ基材と現場の地盤内のシリコアルミニウム鉱物との反応により、ジオポリマーが溝内に原位置で形成される。アルカリ基材として、例えばケイ酸カリウムやケイ酸ナトリウムを用いることができる。
【００４７】
図３Ａ〜３Ｃを参照して、本発明の方法の第三実施形態を以下で説明する。本実施形態の掘削混合ツール２０は図２Ａ〜図２Ｃに示すツールに類似する。
【００４８】
図３Ａに示すように、掘削混合ツールの降下段階で、堀削ステップを実行する。
【００４９】
本発明によると、第一混合物Ａを下降段階で注入し、現場の地盤と第一混合物Ａとを混合する原位置混合の第一段階を行う。
【００５０】
よって、この下降段階では、現場の地盤と第一混合物Ａとを原位置で混合しつつ溝Ｔを掘削する。
【００５１】
掘削混合ツール２０が所望の掘削深度に達すると、図３Ｂ  に示すように、掘削混合ツールを持ち上げる。
【００５２】
持ち上げ段階では、第二混合物Ｂを地盤に注入し、第一混合物Ａと既に混合した現場の地盤と第二混合物Ｂとを混合する原位置混合の第二段階を行う。このように、混合の第二段階は、掘削混合ツールの持ち上げ段階で行われる。
【００５３】
ジオポリマーＧは、下記の式に基づいた第一混合物Ａと第二混合物Ｂとの反応によって、原位置で形成される。
Ａ  ＋  Ｂ  −＞  Ｇ
【００５４】
本例では、下降段階で注入する第一混合物Ａは、７００キログラムのフライアッシュである。水とベントナイト（２０〜３０キログラム）の混合物である液体も注入する。
【００５５】
持ち上げ段階において、下降段階で形成された地盤と第一混合物Ａとの混合を継続する一方、水、ソーダ、ケイ酸塩（例えば水３００リットル、ソーダ１１５キログラム、ケイ酸塩３１０キログラム）の混合物である第二混合物Ｂを注入する。
【００５６】
掘削した土壌とジオポリマーＧとを混合してできた材料が硬化すると、地盤Ｓ内に成型ダイヤフラムＰ２が形成される。
【００５７】
この第三実施形態は、図１Ａ〜１Ｄに示すツールを用いて行うことも当然可能である。
【００５８】
図４Ａ〜４Ｃを参照して、本発明の方法の第四実施形態を以下で説明する。
【００５９】
垂直方向に延びキャリア３４に接続されたブレード３２を有する掘削機である、掘削混合ツール３０を使用する。キャリア３４を移動することで、連続的な溝Ｔとして掘削孔を形成する。このような掘削混合ツール３０は周知であるのでその詳細は省略する。
【００６０】
本方法では、まず地盤Ｓに試行溝４０を形成し、第一混合物Ａで満たす。本例でも第一混合物はシリコアルミニウム鉱物である。試行溝の深さは２０センチメートル（ｃｍ）から１メートル（ｍ）である。
【００６１】
続いて、第一混合物Ａを満たした試行溝４０と連通した溝Ｔを掘削して、第一混合物Ａを掘削孔に入れる、掘削ステップを実行する。掘削ステップと同時に、第二混合物Ｂを溝に注入し、現場の地盤と第一及び第二混合物とを原位置で混合し、形成する要素、すなわち連続的ダイヤフラムＰ３の材料を形成する。
【００６２】
本例では、第二混合物は、ブレード３２に沿って設けられた複数のノズル４２によって溝に圧入される、ケイ酸アルカリ溶液である。第一混合物Ａと第二混合物Ｂとの反応により、現場の地盤と混合されたジオポリマーを原位置で形成する。硬化の後、連続的ダイヤフラムＰ３を得る。
【図１Ａ】
0006703517.tif 000002
【図１Ｂ】
0006703517.tif 000003
【図１Ｃ】
0006703517.tif 000004
【図１Ｄ】
0006703517.tif 000005
【図２Ａ】
0006703517.tif 000006
【図２Ｂ】
0006703517.tif 000007
【図２Ｃ】
0006703517.tif 000008
【図３Ａ】
0006703517.tif 000009
【図３Ｂ】
0006703517.tif 000010
【図３Ｃ】
0006703517.tif 000011
【図４Ａ】
0006703517.tif 000012
【図４Ｂ】
0006703517.tif 000013
【図４Ｃ】
0006703517.tif 000014